(57)【要約】【課題】低コストかつ高音質でアナログラジオ放送波信号及びデジタルラジオ放送波信号を選択的に受信できる無線受信回路、無線受信装置及び無線受信装置の切替方法を提供する。【解決手段】ラジオ放送受信装置は、ＰＬＬ回路２と、混合器３と、スイッチ８，９とを備えて構成される。ＰＬＬ回路２は、切替信号Ｓｓｗに応じて異なる局部発振周波数を有する局部発振信号を生成して出力する。混合器３は、入力される無線受信信号と局部発振信号とを混合することにより、混合後の信号を出力する。スイッチ８，９は、切替信号Ｓｓｗに応じて、互いに並列に接続され、互いに異なる通過帯域の中心周波数を有しかつ混合後の信号から所定の中間周波信号を帯域通過ろ波して出力する複数の帯域通過フィルタ６，７のうち帯域通過フィルタ６を選択するか、若しくは複数の帯域通過フィルタ６，７を選択するかを切り替えて帯域通過ろ波後の中間周波信号を出力する。【選択図】図１
2008160629.tif 000002
【特許請求の範囲】
【請求項１】
入力される切替信号に応じて異なる局部発振周波数を有する局部発振信号を生成して出力する局部発振手段と、
入力される無線受信信号と前記局部発振信号とを混合することにより、混合後の信号を出力する混合手段と、
前記切替信号に応じて、互いに並列に接続され、互いに異なる通過帯域の中心周波数を有しかつ前記混合後の信号から所定の中間周波信号を帯域通過ろ波して出力する複数の第１の帯域通過ろ波手段のうち少なくとも１つの第１の帯域通過ろ波手段を選択するか、若しくは所定の複数の第１の帯域通過ろ波手段を選択するかを切り替えて帯域通過ろ波後の中間周波信号を出力する第１のスイッチ手段とを備えたことを特徴とする無線受信回路。
【請求項２】
前記第１のスイッチ手段から出力される中間周波信号を増幅するための増幅手段をさらに備えたことを特徴とする請求項１記載の無線受信回路。
【請求項３】
前記局部発振手段に代えて、所定の単一の局部発振周波数を有する局部発振信号を生成して出力する別の局部発振手段を備え、
前記第１のスイッチ手段により選択された少なくとも１つの第１の帯域通過ろ波手段の通過帯域の中心周波数と、前記第１のスイッチ手段により選択された所定の複数の第１の帯域通過ろ波手段の通過帯域の中心周波数とが互いに実質的に同一であるように設定されたことを特徴とする請求項１又は２記載の無線受信回路。
【請求項４】
請求項１乃至３のうちのいずれか１つに記載の無線受信回路と、
前記混合後の信号に基づいて利得制御信号を生成して出力する利得制御手段と、
前記利得制御信号に応じて前記無線受信信号の利得を調整して前記混合手段に出力する高周波増幅手段とを備えたことを特徴とする無線受信装置。
【請求項５】
前記複数の第１の帯域通過ろ波手段をさらに備えたことを特徴とする請求項４記載の無線受信装置。
【請求項６】
前記第１のスイッチ手段から出力される中間周波信号をさらに帯域通過ろ波する第２の帯域通過ろ波手段をさらに備えたことを特徴とする請求項４又は５記載の無線通信装置。
【請求項７】
前記切替信号に応じて、前記第１のスイッチ手段から出力される中間周波信号を前記第２の帯域通過ろ波手段に出力するか、若しくは前記第１のスイッチ手段から出力される中間周波信号をそのまま出力するかを切り替えて中間周波信号を出力する第２のスイッチ手段とをさらに備えたことを特徴とする請求項６記載の無線通信装置。
【請求項８】
前記第１のスイッチ手段は、前記無線受信信号がアナログ放送波信号であるとき、少なくとも１つの第１の帯域通過ろ波手段を選択する一方、前記無線受信信号がデジタル放送波信号であるとき、前記所定の複数の第１の帯域通過ろ波手段を選択することを特徴とする請求項４乃至７のうちのいずれか１つに記載の無線受信装置。
【請求項９】
入力される切替信号に応じて異なる局部発振周波数を有する局部発振信号を生成して出力する局部発振手段と、
入力される無線受信信号と前記局部発振信号とを混合することにより、混合後の信号を出力する混合手段と、
前記切替信号に応じて、互いに並列に接続され、互いに異なる通過帯域の中心周波数を有しかつ前記混合後の信号から所定の中間周波信号を帯域通過ろ波して出力する複数の第１の帯域通過ろ波手段とを備えた無線受信装置の切替方法であって、
前記切替信号に応じて、第１のスイッチ手段を用いて、前記複数の第１の帯域通過ろ波手段のうち少なくとも１つの第１の帯域通過ろ波手段を選択するか、若しくは所定の複数の第１の帯域通過ろ波手段を選択するかを切り替えるステップを含むことを特徴とする無線受信装置の切替方法。
【請求項１０】
前記無線受信装置は、前記局部発振手段に代えて、所定の単一の局部発振周波数を有する局部発振信号を生成して出力する別の局部発振手段を備え、
前記第１のスイッチ手段により選択された少なくとも１つの第１の帯域通過ろ波手段の通過帯域の中心周波数と、前記第１のスイッチ手段により選択された所定の複数の第１の帯域通過ろ波手段の通過帯域の中心周波数とが互いに実質的に同一であるように設定されたことを特徴とする請求項９記載の無線受信装置の切替方法。
【請求項１１】
前記無線受信装置は、前記第１のスイッチ手段から出力される中間周波信号をさらに帯域通過ろ波する第２の帯域通過ろ波手段をさらに備え、
前記切替信号に応じて、第２のスイッチ手段を用いて、前記第１のスイッチ手段から出力される中間周波信号を前記第２の帯域通過ろ波手段に出力するか、若しくは前記第１のスイッチ手段から出力される中間周波信号をそのまま出力するかを切り替えるステップをさらに含むことを特徴とする請求項９又は１０記載の無線受信装置の切替方法。
【請求項１２】
前記第１のスイッチ手段を用いて切り替えるステップは、前記無線受信信号がアナログ放送波信号であるとき、少なくとも１つの第１の帯域通過ろ波手段を選択する一方、前記無線受信信号がデジタル放送波信号であるとき、前記所定の複数の第１の帯域通過ろ波手段を選択することを特徴とする請求項９乃至１１のうちのいずれか１つに記載の無線受信装置の切替方法。
【発明の詳細な説明】
【技術分野】
【０００１】
本発明は、特に、ラジオ放送受信装置に用いられる無線受信回路、無線受信装置及び無線受信装置の切替方法に関する。
【背景技術】
【０００２】
デジタルラジオ放送は、米国及び欧州では既に実用化されており、日本国内でも、社団法人デジタルラジオ推進協会により２００３年１０月から一部の地域で実用化試験放送が開始された。日本国内のデジタルラジオ放送は、社団法人電波産業会により策定されたＩＳＤＢ−ＴＳＢ規格に沿って運用される。このＩＳＤＢ−ＴＳＢ規格によるデジタルラジオ放送は、従来のアナログラジオ放送（ＦＭ及びＡＭ放送）よりも広い信号帯域幅を有し、高音質でユーザにサービスを提供できるという利点を有する。従来、デジタルラジオ放送波信号及びアナログラジオ放送波信号を受信する為には、それぞれ別個の受信装置が必要であった。
【０００３】
近年、アナログラジオ放送波信号を受信できる携帯電話等が販売され、市場からはラジオ放送受信装置に対してより一層の小型化が要望されている。アナログラジオ放送用の受信装置とデジタルラジオ放送用の受信装置とを携帯電話等の小型電子機器に搭載することは、サイズ及びコスト面から困難であった。そこで、デジタルラジオ放送波信号及びアナログラジオ放送波信号の両方を受信可能な小型の受信装置が特許文献１に開示されている。従来例に係る受信装置は、中間周波数の信号を狭帯域のＩＦフィルタにて帯域制限のうえＩＦ増幅器で増幅し、中間周波数の信号を広帯域のＩＦフィルタにて帯域制限のうえＩＦ増幅器で増幅し、ＡＧＣ回路によりＩＦ増幅器のゲインを制御し、ＩＦ増幅器の出力信号をアナログ放送波用の復調器にて復調し、ＩＦ増幅器の出力信号をデジタル放送波用の復調器にて復調し、ＡＧＣ回路から出力されＩＦ増幅器のゲイン制御信号を直流増幅器にて増幅し、その増幅出力信号をＩＦ増幅器のゲイン制御信号としてＩＦ増幅器の出力信号レベルを、復調器において希望信号を復調することができる最低限のレベルに制御する。従来例に係る受信装置は、上記構成により、回路規模の簡略化と低コストを図っている。
【０００４】
【特許文献１】特開２００５−７３０９７号公報。
【発明の開示】
【発明が解決しようとする課題】
【０００５】
しかしながら、上記従来例に係る受信装置は、中間周波信号を入力する入力線が常にデジタルラジオ放送用及びアナログラジオ放送用の２つのフィルタに接続されるため、中間周波信号の電力が分配されて各フィルタへの信号入力レベルが減衰し、音質が劣化する可能性があるという問題があった。
【０００６】
本発明の目的は、以上の問題点を解決し、低コストかつ高音質で例えばアナログラジオ放送波信号及びデジタルラジオ放送波信号を選択的に受信できる無線受信回路、無線受信装置及び無線受信装置の切替方法を提供することにある。
【課題を解決するための手段】
【０００７】
第１の発明に係る無線受信回路は、入力される切替信号に応じて異なる局部発振周波数を有する局部発振信号を生成して出力する局部発振手段と、入力される無線受信信号と前記局部発振信号とを混合することにより、混合後の信号を出力する混合手段と、前記切替信号に応じて、互いに並列に接続され、互いに異なる通過帯域の中心周波数を有しかつ前記混合後の信号から所定の中間周波信号を帯域通過ろ波して出力する複数の第１の帯域通過ろ波手段のうち少なくとも１つの第１の帯域通過ろ波手段を選択するか、若しくは所定の複数の第１の帯域通過ろ波手段を選択するかを切り替えて帯域通過ろ波後の中間周波信号を出力する第１のスイッチ手段とを備えたことを特徴とする。
【０００８】
上記無線受信回路において、前記第１のスイッチ手段から出力される中間周波信号を増幅するための増幅手段をさらに備えたことを特徴とする。
【０００９】
また、上記無線受信回路において、前記局部発振手段に代えて、所定の単一の局部発振周波数を有する局部発振信号を生成して出力する別の局部発振手段を備え、前記第１のスイッチ手段により選択された少なくとも１つの第１の帯域通過ろ波手段の通過帯域の中心周波数と、前記第１のスイッチ手段により選択された所定の複数の第１の帯域通過ろ波手段の通過帯域の中心周波数とが互いに実質的に同一であるように設定されたことを特徴とする。
【００１０】
第２の発明に係る無線受信装置は、上記無線受信回路と、前記混合後の信号に基づいて利得制御信号を生成して出力する利得制御手段と、前記利得制御信号に応じて前記無線受信信号の利得を調整して前記混合手段に出力する高周波増幅手段とを備えたことを特徴とする。
【００１１】
上記無線受信装置において、前記複数の第１の帯域通過ろ波手段をさらに備えたことを特徴とする。
【００１２】
また、上記無線受信装置において、前記第１のスイッチ手段から出力される中間周波信号をさらに帯域通過ろ波する第２の帯域通過ろ波手段をさらに備えたことを特徴とする。ここで、前記切替信号に応じて、前記第１のスイッチ手段から出力される中間周波信号を前記第２の帯域通過ろ波手段に出力するか、若しくは前記第１のスイッチ手段から出力される中間周波信号をそのまま出力するかを切り替えて中間周波信号を出力する第２のスイッチ手段とをさらに備えたことを特徴とする。
【００１３】
さらに、上記無線受信装置において、前記第１のスイッチ手段は、前記無線受信信号がアナログ放送波信号であるとき、少なくとも１つの第１の帯域通過ろ波手段を選択する一方、前記無線受信信号がデジタル放送波信号であるとき、前記所定の複数の第１の帯域通過ろ波手段を選択することを特徴とする。
【００１４】
第３の発明に係る無線受信装置の切替方法は、入力される切替信号に応じて異なる局部発振周波数を有する局部発振信号を生成して出力する局部発振手段と、入力される無線受信信号と前記局部発振信号とを混合することにより、混合後の信号を出力する混合手段と、前記切替信号に応じて、互いに並列に接続され、互いに異なる通過帯域の中心周波数を有しかつ前記混合後の信号から所定の中間周波信号を帯域通過ろ波して出力する複数の第１の帯域通過ろ波手段とを備えた無線受信装置の切替方法であって、前記切替信号に応じて、第１のスイッチ手段を用いて、前記複数の第１の帯域通過ろ波手段のうち少なくとも１つの第１の帯域通過ろ波手段を選択するか、若しくは所定の複数の第１の帯域通過ろ波手段を選択するかを切り替えるステップを含むことを特徴とする。
【００１５】
上記無線受信装置の切替方法において、前記無線受信装置は、前記局部発振手段に代えて、所定の単一の局部発振周波数を有する局部発振信号を生成して出力する別の局部発振手段を備え、前記第１のスイッチ手段により選択された少なくとも１つの第１の帯域通過ろ波手段の通過帯域の中心周波数と、前記第１のスイッチ手段により選択された所定の複数の第１の帯域通過ろ波手段の通過帯域の中心周波数とが互いに実質的に同一であるように設定されたことを特徴とする。
【００１６】
また、上記無線受信装置の切替方法において、前記無線受信装置は、前記第１のスイッチ手段から出力される中間周波信号をさらに帯域通過ろ波する第２の帯域通過ろ波手段をさらに備え、前記切替信号に応じて、第２のスイッチ手段を用いて、前記第１のスイッチ手段から出力される中間周波信号を前記第２の帯域通過ろ波手段に出力するか、若しくは前記第１のスイッチ手段から出力される中間周波信号をそのまま出力するかを切り替えるステップをさらに含むことを特徴とする。
【００１７】
さらに、上記無線受信装置の切替方法において、前記第１のスイッチ手段を用いて切り替えるステップは、前記無線受信信号がアナログ放送波信号であるとき、少なくとも１つの第１の帯域通過ろ波手段を選択する一方、前記無線受信信号がデジタル放送波信号であるとき、前記所定の複数の第１の帯域通過ろ波手段を選択することを特徴とする。
【発明の効果】
【００１８】
本発明に係る無線受信回路、無線受信装置及び無線受信装置の切替方法によれば、切替信号に応じて、互いに並列に接続され、互いに異なる通過帯域の中心周波数を有しかつ混合後の信号から所定の中間周波信号を帯域通過ろ波して出力する複数の第１の帯域通過ろ波手段のうち少なくとも１つの第１の帯域通過ろ波手段を選択するか、若しくは所定の複数の第１の帯域通過ろ波手段を選択するかを切り替えて帯域通過ろ波後の中間周波信号を出力するので、低コストかつ高音質で例えばアナログラジオ放送波信号及びデジタルラジオ放送波信号を選択的に受信できるという有利な効果を奏する。
【発明を実施するための最良の形態】
【００１９】
以下、本発明に係る実施形態について図面を参照して説明する。なお、以下の各実施形態において、同様の構成要素については同一の符号を付している。
【００２０】
第１の実施形態．
図１は、本発明の第１の実施形態に係るラジオ放送受信装置の構成を示すブロック図である。図１において、本実施形態に係るラジオ放送受信装置は、高周波増幅器１と、ＰＬＬ回路２と、混合器３と、可変利得制御回路５と、帯域通過フィルタ６，７と、スイッチ８，９と、中間周波増幅器１０と、コントローラ１８とを備えて構成され、アンテナ１５を介してアナログラジオ放送波信号及びデジタルラジオ放送波信号の各送信所から選択的に放送波無線信号を受信する。ＰＬＬ回路２と、混合器３と、スイッチ８，９と、中間周波増幅器１０とは、１つのＩＣチップ上に形成されて無線受信回路１６を構成する。もしくは、ＰＬＬ回路２と、混合器３と、スイッチ８，９と、中間周波増幅器１０と、高周波増幅器１と、可変利得制御回路５とが、１つのＩＣチップ上に形成されて無線受信回路１７を構成してもよい。帯域通過フィルタ６，７と、スイッチ８，９とはフィルタ回路１４を構成する。帯域通過フィルタ６，７は、無線受信回路１６又は１７と同一のＩＣチップ上には形成されないので、本実施形態に係るラジオ放送受信装置は、接続すべき帯域通過フィルタを容易に交換することができる。
【００２１】
なお、以下の各実施形態に係るラジオ放送受信装置の説明において、日本国内で一般的に利用されているＦＭラジオ放送波信号と、日本国内で運用されているデジタルラジオ放送波信号とを選択的に受信する場合を例に取るが、本発明はこれらのラジオ放送に限定するものではなく、例えばＦＭラジオ放送波信号に代えてＡＭラジオ放送波信号等の他のアナログラジオ放送波信号を受信してもよく、若しくは、アナログラジオ放送波信号及びデジタルラジオ放送波信号に代えて他の無線放送波信号を受信してもよく、以下の説明において用いられる通過帯域の中心周波数及び帯域幅等の具体的な値は単なる一例であって、他の値を適用してもよい。
【００２２】
図１において、アンテナ１５は、アナログラジオ放送波信号又はデジタルラジオ放送波信号の各送信所から放送波無線信号を受信して、無線受信信号を高周波増幅器１に出力する。高周波増幅器１は、可変利得制御回路５からの利得制御信号に応じて、出力信号レベルが実質的に一定になるように、入力される無線受信信号の利得を変更しかつ増幅して混合器３に出力する。混合器３は、高周波増幅器１により増幅された無線受信信号とＰＬＬ回路２からの局部発振信号とを混合することにより、混合後の信号をフィルタ回路１４に出力する。可変利得制御回路５は、混合器３から出力される混合後の信号の電力、電流及び電圧のいずれかに基づいて、高周波増幅器１により変更する利得の量を制御するための利得制御信号を生成して高周波増幅器１に出力する。例えば、可変利得制御回路５は、混合器３から出力される混合後の信号のレベルが高い場合には、高周波増幅器１に無線受信信号の利得を低くするよう指示し、混合器３から出力される混合後の信号のレベルが低い場合には、高周波増幅器１に無線受信信号の利得を高くするよう指示する利得制御信号を出力する。利得制御信号は例えば電力、電流及び電圧のいずれかである。ＰＬＬ回路２は、コントローラ１８から入力される切替信号Ｓｓｗに応じてアナログラジオ放送用の局部発振周波数及びデジタルラジオ放送用の局部発振周波数のいずれか一方を選択し、選択された局部発振周波数を有する局部発振信号を生成して混合器３に出力する。
【００２３】
帯域通過フィルタ６，７は、例えばセラミックフィルタ等により構成される。帯域通過フィルタ６の入力端子は混合器３の出力端子に接続され、その出力端子は中間周波増幅器１０の入力端子に接続される。帯域通過フィルタ７の入力端子はスイッチ８を介して混合器３の出力端子に接続され、その出力端子はスイッチ９を介して中間周波増幅器１０の入力端子に接続される。帯域通過フィルタ６，７は、互いに異なる通過帯域の中心周波数を有し、混合器３から入力された混合後の信号から所定の中間周波信号を帯域通過ろ波して出力する。スイッチ８，９は、コントローラ１８からの切替信号Ｓｓｗによってオン状態又はオフ状態に制御され、オン状態のとき帯域通過フィルタ６及び７を互いに並列に接続する一方、オフ状態のとき帯域通過フィルタ７を帯域通過フィルタ６から切り離す。中間周波増幅器１０は、フィルタ回路１４から入力した中間周波信号を所定のレベルにまで増幅して図示しない復調回路に出力する。コントローラ１８は、アナログラジオ放送及びデジタルラジオ放送のいずれが例えばスイッチにより選択されているかに応じて、ＰＬＬ回路２の局部発振信号の局部発振周波数を切り替え、スイッチ８，９をオン状態又はオフ状態に切り替えるための切替信号Ｓｓｗを出力する。
【００２４】
図２（ａ）は、図１のラジオ放送受信装置の帯域通過フィルタ６及び７の各周波数特性２１及び２２を示す特性図である。図２（ｂ）は、図１のラジオ放送受信装置の帯域通過フィルタ６及び７の合成周波数特性２３を示す特性図である。図２（ａ）に示す各周波数特性において、帯域通過フィルタ６の通過帯域の中心周波数ｆｃ１は、例えば１０．７ＭＨｚであり、通過帯域幅の下限ｆ１及び上限ｆ２は、例えばそれぞれ１０．６ＭＨｚ及び１０．８ＭＨｚであり、通過帯域幅は２００ｋＨｚである。帯域通過フィルタ７の通過帯域の中心周波数ｆｃ２は、例えば１０．９１５ＭＨｚであり、通過帯域幅の下限ｆ２及び上限ｆ３は、例えばそれぞれ１０．８ＭＨｚ及び１１．０３ＭＨｚであり、通過帯域幅は２３０ｋＨｚである。従って、図２（ｂ）に示す帯域通過フィルタ６及び７の合成周波数特性２３において、通過帯域の中心周波数ｆｃ３は１０．８１５ＭＨｚとなり、通過帯域幅の下限ｆ１及び上限ｆ３は、それぞれ１０．６ＭＨｚ及び１１．０３ＭＨｚとなり、通過帯域幅は４３０ｋＨｚとなる。
【００２５】
以上の構成を有するラジオ放送受信装置において、以下、その動作について説明する。まずアナログラジオ放送波信号を受信する場合、コントローラ１８は、ＰＬＬ回路２の局部発振信号の局部発振周波数をアナログラジオ放送用の局部発振周波数に切り替え、かつ、スイッチ８，９をオフ状態に制御する切替信号Ｓｓｗを出力する。これにより、帯域通過フィルタ７は帯域通過フィルタ６から切り離される。
【００２６】
アンテナ１５を介して入力された無線受信信号は、高周波増幅器１によって利得を制御されて増幅された後、混合器３によりＰＬＬ回路２からの局部発振信号と混合されて、フィルタ回路１４に入力される。この際、高周波増幅器１において無線受信信号の利得をどれだけ変更するかは、可変利得制御回路５からの利得制御信号に応じて変更される。スイッチ８，９がオフ状態に制御されて帯域通過フィルタ７が帯域通過フィルタ６から切り離されているので、フィルタ回路１４全体の周波数特性は、図２（ａ）に示す帯域通過フィルタ６の周波数特性２１と等しい。帯域通過フィルタ６は、フィルタ回路１４に入力された混合後の信号から所定の中間周波信号を帯域通過ろ波することにより、希望チャンネル以外の妨害波を抑圧する。フィルタ回路１４からの中間周波信号は、中間周波増幅器１０によって所定のレベルにまで増幅され、図示しない復調回路へ出力される。
【００２７】
この構成によれば、フィルタ回路１４の通過帯域の中心周波数は、帯域通過フィルタ６の通過帯域の中心周波数と同じ１０．７ＭＨｚとなり、通過帯域幅が２００ｋＨｚとなるので、日本国内で一般的に利用されているＦＭラジオ放送波信号を受信することができる。
【００２８】
次に、デジタルラジオ放送波信号を受信する場合、コントローラ１８は、ＰＬＬ回路２の局部発振信号の局部発振周波数をデジタルラジオ放送用の局部発振周波数に切り替え、かつ、スイッチ８，９をオン状態に制御する切替信号Ｓｓｗを出力する。これにより、帯域通過フィルタ６及び７は、互いに並列に接続される。
【００２９】
アンテナ１５を介して入力された無線受信信号は、高周波増幅器１によって利得を制御された後、混合器３によりＰＬＬ回路２からの局部発振信号と混合されて、フィルタ回路１４に入力される。この際、高周波増幅器１において中間周波信号の利得をどれだけ変更するかは、可変利得制御回路５からの利得制御信号に応じて変更される。スイッチ８，９がオン状態に制御されて帯域通過フィルタ６，７が互いに並列に接続されているので、フィルタ回路１４全体の周波数特性は、図２（ｂ）に示す帯域通過フィルタ６及び７の合成周波数特性２３と等しい。帯域通過フィルタ６及び７は、フィルタ回路１４に入力された混合後の信号から所定の中間周波信号を帯域通過ろ波することにより、希望チャンネル以外の妨害波を抑圧する。フィルタ回路１４からの中間周波信号は、中間周波増幅器１０によって所定のレベルにまで増幅され、図示しない復調回路へ出力される。
【００３０】
この構成によれば、フィルタ回路１４の通過帯域の中心周波数は１０．８１５ＭＨｚとなり、通過帯域幅は４３０ｋＨｚとなるので、日本国内で運用されるデジタルラジオ放送波信号を受信することができる。
【００３１】
以上説明したように、本実施形態に係るラジオ放送受信装置によれば、アナログラジオ放送波信号受信時には、帯域通過フィルタ７が帯域通過フィルタ６から切り離されているため、無線受信信号の信号入力レベルが減衰することがなく、ユーザに高品質のサービスを提供することができるラジオ放送受信装置を実現できる。
【００３２】
また、デジタルラジオ放送波信号の帯域幅は、アナログラジオ放送波信号の帯域幅に比べて広いため、従来の受信装置は、デジタルラジオ放送用の広帯域の専用のフィルタを必要とし、コストが掛かっていた。本実施形態に係るラジオ放送受信装置によれば、帯域通過フィルタ７の通過帯域幅は、デジタルラジオ放送波信号の帯域幅と帯域通過フィルタ６の通過帯域幅との差であればよく、従来のアナログラジオ放送波信号受信で用いられている２００ｋＨｚ又は２３０ｋＨｚ程度の狭帯域の通過帯域幅を有する帯域通過フィルタを１個追加するだけで専用のフィルタを必要とせずにデジタルラジオ放送波信号を受信でき、低コストのラジオ放送受信装置を実現できる。
【００３３】
さらに、本実施形態において、ＰＬＬ回路２と、混合器３と、スイッチ８，９と、中間周波増幅器１０とを無線受信回路１６として１つのＩＣチップ上に集積化することにより、もしくは、ＰＬＬ回路２と、混合器３と、スイッチ８，９と、中間周波増幅器１０と、高周波増幅器１と、可変利得制御回路５とを、無線受信回路１７として１つのＩＣチップ上によって集積化することにより、小型のラジオ放送受信装置を実現できる。さらに、帯域通過フィルタ６，７を無線受信回路１６又は１７と同一のＩＣチップ上に形成せず、容易に交換可能とすることにより、汎用性の高いラジオ放送受信装置を実現できる。
【００３４】
なお、本実施形態において、説明を簡易にするために、ＰＬＬ回路２の局部発振信号の局部発振周波数は、コントローラ１８からの切替信号Ｓｓｗにより、アナログラジオ放送用の局部発振周波数及びデジタルラジオ放送用の局部発振周波数のいずれかに切り替えられた。しかし、本発明はこの構成に限らず、ＰＬＬ回路２の局部発振信号の局部発振周波数は、アナログラジオ放送及びデジタルラジオ放送のそれぞれにおいて、受信チャンネル毎に切り替えられてもよい。
【００３５】
第２の実施形態．
図３は、本発明の第２の実施形態に係るラジオ放送受信装置の構成を示すブロック図である。図３において、スイッチ３０と、帯域通過フィルタ３１と、可変増幅器３２と、中間周波増幅器３３とをさらに備えた点、及び、図１のラジオ放送受信装置のコントローラ１８に代えてコントローラ１８Ａを備えた点において、図１に示した第１の実施形態に係るラジオ放送受信装置とは異なる。それ以外の点においては、図１に示した第１の実施形態に係るラジオ放送受信装置と同様であり、同一符号を付した構成要素についての詳細な説明は省略する。ＰＬＬ回路２と、混合器３と、スイッチ８，９と、中間周波増幅器１０，３３と、スイッチ３０と、可変増幅器３２とは、１つのＩＣチップ上に形成されて無線受信回路１６Ａを構成する。もしくは、ＰＬＬ回路２と、混合器３と、スイッチ８，９と、中間周波増幅器１０，３３と、スイッチ３０と、可変増幅器３２と、高周波増幅器１と、可変利得制御回路５とは、１つのＩＣチップ上に形成されて無線受信回路１７Ａを構成してもよい。帯域通過フィルタ６，７，３１は、無線受信回路１６Ａ又は１７Ａと同一のＩＣチップ上には形成されないので、本実施形態に係るラジオ放送受信装置は、接続すべき帯域通過フィルタを容易に交換することができる。
【００３６】
図３において、コントローラ１８Ａは、切替信号Ｓｓｗを出力することに加えて、制御信号Ｓｃｔｒを可変増幅器３２に出力する。制御信号Ｓｃｔｒは電力、電流又は電圧のいずれかを用いる。スイッチ３０は、コントローラ１８Ａからの切替信号Ｓｓｗにより接点を切り替えられる。スイッチ３０は、デジタルラジオ放送波信号受信時、接点ａ側に制御されることにより中間周波増幅器１０と可変増幅器３２とを接続し、アナログラジオ放送波信号受信時、接点ｂ側に制御されることにより中間周波増幅器１０と帯域通過フィルタ３１とを接続する。帯域通過フィルタ３１は、例えばセラミックフィルタ等により構成され、図２（ａ）に示した帯域通過フィルタ６の周波数特性２１と実質的に同一の周波数特性を有し、スイッチ３０を介して中間周波増幅器１０から入力された中間周波信号からさらに所定の中間周波信号を帯域通過ろ波して中間周波増幅器３３に出力する。中間周波増幅器３３は帯域通過フィルタ３１から入力された中間周波信号を所定のレベルにまで増幅して図示しないアナログ復調回路に出力する。可変増幅器３２は、スイッチ３０を介して中間周波増幅器１０から入力された中間周波信号を、コントローラ１８Ａからの制御信号Ｓｃｔｒに応じた増幅率で増幅して図示しないデジタル復調回路に出力する。
【００３７】
以上の構成を有するラジオ放送受信装置において、以下、その動作について説明する。なお、アンテナ１５を介して入力された無線受信信号が混合器３及びフィルタ回路１４により処理され、中間周波増幅器１０により所定のレベルにまで増幅されるまでの処理については、第１の実施形態に係るラジオ放送受信装置と同様であるため、説明を省略する。
【００３８】
アナログラジオ放送波信号を受信する場合、スイッチ３０は接点ｂ側に制御されるため、中間周波増幅器１０により増幅された中間周波信号は、帯域通過フィルタ３１に入力される。帯域通過フィルタ３１は、中間周波増幅器１０により増幅された中間周波信号からさらに所定の中間周波信号を帯域通過ろ波する。帯域通過フィルタ３１は帯域通過フィルタ６と実質的に同一の帯域通過特性を有するので、希望チャンネルの周波数以外の妨害波をさらに抑圧する。帯域通過フィルタ３１によりろ波された中間周波信号は、中間周波増幅器３３によって増幅された後、図示しないアナログ復調回路へ送られる。
【００３９】
一方、デジタルラジオ放送波信号を受信する場合、スイッチ３０は接点ａ側に制御されるため、中間周波増幅器１０により増幅された中間周波信号は、可変増幅器３２により増幅又は減衰された後、図示しないデジタル復調回路へ送られる。このとき、可変増幅器３２による増幅量又は減衰量は、コントローラ１８Ａから入力される制御信号Ｓｃｔｒによってラジオ放送受信装置に接続されるデジタル復調回路のビットエラーレート特性を改善させるように制御される。
【００４０】
以上説明したように、本実施形態に係るラジオ放送受信装置によれば、アナログラジオ放送波信号受信時、帯域通過フィルタ６及び３１により混合後の信号から所定の中間周波信号を複数回帯域通過ろ波するため、第１の実施形態に係るラジオ放送受信装置に比べて周波数選択性を向上させて音質を高めることができる。また、デジタルラジオ放送波信号受信時、可変増幅器３２により中間周波信号の利得を制御することにより、ラジオ放送受信装置に接続されるデジタル復調回路のビットエラーレート特性を改善させることができる。
【００４１】
第３の実施形態．
図４は、本発明の第３の実施形態に係るラジオ放送受信装置の構成を示すブロック図である。図４において、フィルタ回路１４に代えてフィルタ回路１４Ａを備えた点、及び、帯域通過フィルタ３１に代えて帯域通過フィルタ３１Ａを備えた点において、図３に示した第２の実施形態に係るラジオ放送受信装置とは異なる。フィルタ回路１４Ａは、帯域通過フィルタ４０〜４２と、スイッチ４３〜４６とを備えて構成される。それ以外の点においては、図３に示した第２の実施形態に係るラジオ放送受信装置と同様であり、同一符号を付した構成要素についての詳細な説明は省略する。ＰＬＬ回路２と、混合器３と、スイッチ４３〜４６と、中間周波増幅器１０，３３と、スイッチ３０と、可変増幅器３２とは、１つのＩＣチップ上に形成されて無線受信回路１６Ｂを構成する。もしくは、ＰＬＬ回路２と、混合器３と、スイッチ４３〜４６と、中間周波増幅器１０，３３と、スイッチ３０と、可変増幅器３２と、高周波増幅器１と、可変利得制御回路５とは、１つのＩＣチップ上に形成されて無線受信回路１７Ｂを構成してもよい。帯域通過フィルタ３１Ａ及び４０〜４２は、無線受信回路１６Ｂ又は１７Ｂと同一のＩＣチップ上には形成されないので、本実施形態に係るラジオ放送受信装置は、接続すべき帯域通過フィルタを容易に交換することができる。
【００４２】
図４において、帯域通過フィルタ４０の入力端子は混合器３の出力端子に接続され、その出力端子は中間周波増幅器１０の入力端子に接続される。帯域通過フィルタ４１の入力端子はスイッチ４３を介して混合器３の出力端子に接続され、その出力端子はスイッチ４５を介して中間周波増幅器１０の入力端子に接続される。帯域通過フィルタ４２の入力端子はスイッチ４４を介して混合器３の出力端子に接続され、その出力端子はスイッチ４６を介して中間周波増幅器１０の入力端子に接続される。帯域通過フィルタ４０〜４２は、混合器３から入力された混合後の信号から所定の中間周波信号を帯域通過ろ波して出力する。スイッチ４３〜４６は、コントローラ１８Ａからの切替信号Ｓｓｗによってオン状態又はオフ状態に制御され、オン状態のとき帯域通過フィルタ４０〜４２を互いに並列に接続する一方、オフ状態のとき帯域通過フィルタ４１，４２を帯域通過フィルタ４０から切り離す。帯域通過フィルタ３１Ａは、例えばセラミックフィルタ等により構成され、帯域通過フィルタ４０と実質的に同一の周波数特性を有し、中間周波増幅器１０により増幅された中間周波信号からさらに所定の中間周波信号を帯域通過ろ波する。
【００４３】
図５（ａ）は、図４のラジオ放送受信装置の帯域通過フィルタ４０〜４２の各周波数特性５１〜５３を示す特性図である。図５（ｂ）は、図４のラジオ放送受信装置の帯域通過フィルタ４０〜４２の合成周波数特性５４を示す特性図である。図５（ａ）に示す各周波数特性において、帯域通過フィルタ５１の通過帯域の中心周波数ｆｃ４は、例えば１０．７ＭＨｚであり、通過帯域幅の下限ｆ４及び上限ｆ５は、例えばそれぞれ１０．６２５ＭＨｚ及び１０．７７５ＭＨｚであり、通過帯域幅は１５０ｋＨｚである。帯域通過フィルタ５２の通過帯域の中心周波数ｆｃ５は、例えば１０．８４５ＭＨｚであり、通過帯域幅の下限ｆ５及び上限ｆ６は、例えばそれぞれ１０．７７５ＭＨｚ及び１０．９１５ＭＨｚであり、通過帯域幅は１４０ｋＨｚである。帯域通過フィルタ５３の通過帯域の中心周波数ｆｃ６は、例えば１０．９８５ＭＨｚであり、通過帯域幅の下限ｆ６及び上限ｆ７は、例えばそれぞれ１０．９１５ＭＨｚ及び１１．０５５ＭＨｚであり、通過帯域幅は１４０ｋＨｚである。従って、図５（ｂ）に示す帯域通過フィルタ４０〜４２の合成周波数特性５４において、通過帯域の中心周波数ｆｃ７は１０．８４ＭＨｚとなり、通過帯域幅の下限ｆ１及び上限ｆ３は、それぞれ１０．６２５ＭＨｚ及び１１．０５５ＭＨｚとなり、通過帯域幅は４３０ｋＨｚとなる。
【００４４】
以上の構成を有するラジオ放送受信装置において、以下、その動作について説明する。まずアナログラジオ放送波信号を受信する場合、コントローラ１８Ａは、ＰＬＬ回路２の局部発振信号の局部発振周波数をアナログラジオ放送用の局部発振周波数に切り替え、かつ、スイッチ４３〜４６をオフ状態に制御し、スイッチ３０を接点ｂ側に制御する切替信号Ｓｓｗを出力する。これにより、帯域通過フィルタ４１，４２は帯域通過フィルタ４０から切り離される。
【００４５】
スイッチ４３〜４６がオフ状態に制御されているので、フィルタ回路１４Ａ全体の周波数特性は、図５（ａ）に示す帯域通過フィルタ４０の周波数特性５１と等しい。帯域通過フィルタ４０は、混合器３からフィルタ回路１４Ａに入力された混合後の信号から中間周波信号を帯域通過ろ波することにより、希望チャンネル以外の妨害波を抑圧する。フィルタ回路１４Ａからの中間周波信号は、中間周波増幅器１０によって所定のレベルにまで増幅される。帯域通過フィルタ３１Ａは、中間周波増幅器１０により増幅された中間周波信号から、さらに中間周波信号を帯域通過ろ波して帯域制限を掛け、中間周波増幅器３３は、帯域通過フィルタ３１Ａにより帯域通過ろ波された中間周波信号を所定のレベルにまで増幅し、図示しないアナログ復調回路に出力する。この構成によれば、フィルタ回路１４Ａの通過帯域の中心周波数は、帯域通過フィルタ４０の通過帯域の中心周波数と同じ１０．７ＭＨｚとなり、通過帯域幅が１５０ｋＨｚとなるので、日本国内で一般的に利用されているＦＭラジオ放送波信号を受信することができる。なお、第１及び第２の実施形態に比べてアナログラジオ放送波信号受信時の通過帯域幅を２００ｋＨｚから１５０ｋＨｚに狭くすることにより、妨害波をさらに抑圧できる。
【００４６】
次に、デジタルラジオ放送波信号を受信する場合、コントローラ１８Ａは、ＰＬＬ回路２の局部発振信号の局部発振周波数をデジタルラジオ放送用の局部発振周波数に切り替え、かつ、スイッチ４３〜４６をオン状態に制御し、スイッチ３０を接点ａ側に制御する切替信号Ｓｓｗを出力する。これにより、帯域通過フィルタ４０〜４２は、互いに並列に接続される。
【００４７】
スイッチ４３〜４６がオン状態に制御されているので、フィルタ回路１４Ａ全体の周波数特性は、図５（ｂ）に示す帯域通過フィルタ４０〜４２の合成周波数特性５４と等しい。帯域通過フィルタ４０〜４２は、混合器３からフィルタ回路１４Ａに入力された混合後の信号から中間周波信号を帯域通過ろ波することにより、希望チャンネル以外の妨害波を抑圧する。以下、第２の実施形態に係るラジオ放送受信装置と同様であるので省略する。この構成によれば、フィルタ回路１４Ａの通過帯域の中心周波数は１０．８４ＭＨｚとなり、通過帯域幅が４３０ｋＨｚとなるので、日本国内で運用されるデジタルラジオ放送波信号を受信することができる。
【００４８】
以上説明したように、本実施形態に係るラジオ放送受信装置によれば、アナログラジオ放送波信号受信時には、帯域通過フィルタ４１，４２が帯域通過フィルタ４０から切り離されているため、無線受信信号の信号入力レベルが減衰することがなく、ユーザに高品質のサービスを提供することができるラジオ放送受信装置を実現できる。
【００４９】
また、本実施形態に係るラジオ放送受信装置によれば、帯域通過フィルタ４１，４２の各通過帯域幅は、デジタルラジオ放送波信号の帯域幅と帯域通過フィルタ４０の通過帯域幅との差の半分であればよく、従来のアナログラジオ放送波信号受信で用いられている１４０ｋＨｚ又は１５０ｋＨｚ程度の通過帯域幅を有する狭帯域の帯域通過フィルタを２個追加するだけで専用のフィルタを必要とせずにデジタルラジオ放送波信号を受信でき、低コストのラジオ放送受信装置を実現できる。
【００５０】
なお、本実施形態において、図４に示すように、帯域通過フィルタ４１はそれぞれスイッチ４３及び４５を介して混合器３及び中間周波増幅器１０と接続され、帯域通過フィルタ４２はそれぞれスイッチ４４及び４６を介して混合器３及び中間周波増幅器１０と接続された。しかし、本発明はこの構成に限らず、図６に示すように、帯域通過フィルタ４１はそれぞれスイッチ４３Ａ及び４５Ａを介して混合器３及び中間周波増幅器１０と接続され、帯域通過フィルタ４２はそれぞれスイッチ４３Ａ，４４Ａ及び４５Ａ，４６Ａを介して混合器３及び中間周波増幅器１０と接続されてもよく、この場合、スイッチ４４Ａ，４６Ａは省略されてもよい。
【００５１】
また、本実施形態において、アナログラジオ放送波信号受信時とデジタルラジオ放送波信号受信時で通過帯域の中心周波数を切り替え、それに伴い、切替信号ＳｓｗによってＰＬＬ回路２の局部発振信号の局部発振周波数を切り替えた。しかし、本発明はこの構成に限らず、アナログラジオ放送波信号受信時とデジタルラジオ放送波信号受信時で同一の通過帯域の中心周波数を用いてもよい。例えば図７に示すように、帯域通過フィルタ４０〜４２に代えて帯域通過フィルタ６０〜６２を備え、帯域通過フィルタ６０〜６２は図８（ａ）に示す各周波数特性７１〜７３を有してもよい。図８（ｂ）は、帯域通過フィルタ６０〜６２の合成周波数特性７４を示す。図８（ａ）及び（ｂ）に示すように、アナログラジオ放送波信号受信時に用いられる帯域通過フィルタ６０の通過帯域の中心周波数を、デジタルラジオ放送波信号の帯域幅の中心周波数と同一に設定することにより、ＰＬＬ回路２の局部発振周波数を切り替える必要が無くなり、回路構成を簡易化できる。
【００５２】
さらに、第１及び第２の実施形態においては、フィルタ回路１４内に２つの帯域通過フィルタ６，７を設け、第３の実施形態においては、フィルタ回路１４Ａ内に３つの帯域通過４０〜４２を設けた。しかし、本発明はこの構成に限らず、４つ以上の帯域通過フィルタを設けてもよい。
【００５３】
またさらに、図２，５，８に示した周波数特性において、各通過帯域幅の上限周波数及び下限周波数を最大相対電力に対応する周波数を用いて示しているが、本発明はこれに限らず、一般的には、最大相対電力よりも３ｄＢだけ低い相対電力に対応する周波数を用いて示す。
【産業上の利用可能性】
【００５４】
本発明によれば、低コストかつ高音質でアナログラジオ放送波信号及びデジタルラジオ放送波信号を選択的に受信できる無線受信回路、無線受信装置及び無線受信装置の切替方法を実現できる。
【図面の簡単な説明】
【００５５】
【図１】本発明の第１の実施形態に係るラジオ放送受信装置の構成を示すブロック図である。
【図２】（ａ）は、図１のラジオ放送受信装置の帯域通過フィルタ６，７の各周波数特性２１及び２２を示す特性図である。（ｂ）は、図１のラジオ放送受信装置の帯域通過フィルタ６及び７の合成周波数特性２３を示す特性図である。
【図３】本発明の第２の実施形態に係るラジオ放送受信装置の構成を示すブロック図である。
【図４】本発明の第３の実施形態に係るラジオ放送受信装置の構成を示すブロック図である。
【図５】（ａ）は、図４のラジオ放送受信装置の帯域通過フィルタ４０〜４２の各周波数特性５１〜５３を示す特性図である。（ｂ）は、図４のラジオ放送受信装置の帯域通過フィルタ４０〜４２の合成周波数特性５４を示す特性図である。
【図６】本発明の第３の実施形態の第１の変形例に係るラジオ放送受信装置の構成を示すブロック図である。
【図７】本発明の第３の実施形態の第２の変形例に係るラジオ放送受信装置の構成を示すブロック図である。
【図８】（ａ）は、図７のラジオ放送受信装置の帯域通過フィルタ６０〜６２の各周波数特性７１〜７３を示す特性図である。（ｂ）は、図７のラジオ放送受信装置の帯域通過フィルタ６０〜６２の合成周波数特性７４を示す特性図である。
【符号の説明】
【００５６】
１…高周波増幅器、
２…ＰＬＬ回路、
３…混合器、
５…可変利得制御回路、
６，７，３１，３１Ａ，４０〜４２，６０〜６２…帯域通過フィルタ、
８，９，３０，４３〜４６，４３Ａ〜４６Ａ…スイッチ、
１０，３３…中間周波増幅器、
１４，１４Ａ，１４Ｂ…フィルタ回路、
１５…アンテナ、
１６，１６Ａ，１６Ｂ，１７，１７Ａ，１７Ｂ…無線受信回路、
１８，１８Ａ…コントローラ、
３２…可変増幅器。
【図１】
2008160629.tif 000003
【図２】
2008160629.tif 000004
【図３】
2008160629.tif 000005
【図４】
2008160629.tif 000006
【図５】
2008160629.tif 000007
【図６】
2008160629.tif 000008
【図７】
2008160629.tif 000009
【図８】
2008160629.tif 000010